(57)【特許請求の範囲】
【請求項１】
管体とベルとを備えた管楽器であって、
前記ベルの先端部分に、平面プレート状の金属製のウエイトを取り付けたことを特徴とする管楽器。
【請求項２】
管体とベルとを備えた管楽器であって、
前記ベルの先端部分に爪形状の金属製のウエイトを取り付けたことを特徴とする管楽器。
【請求項３】
前記金属製のウエイトを複数、前記ベルの先端部分に取り付けたことを特徴とする請求項１乃至２のいずれか１項に記載の管楽器。
【請求項４】
管体とベルとを備えた管楽器であって、
前記ベルの先端部分にドーナツ板形状の金属製のウエイトを取り付けたことを特徴とする管楽器。
【請求項５】
前記金属製のウエイトの表面に装飾を施したことを特徴とする請求項１乃至４のいずれか１項に記載の管楽器。
【請求項６】
請求項１乃至５のいずれか１項に記載の管楽器のベルに取り付けられる金属製のウエイト。
【発明の詳細な説明】
【技術分野】
【０００１】
本発明は、管楽器およびその部品に関する。
【背景技術】
【０００２】
上記技術分野において、特許文献１には、雑音の発生を軽減する技術が開示されている。
【先行技術文献】
【特許文献】
【０００３】
【特許文献１】特開２０１２−２３３９６７号公報
【発明の概要】
【発明が解決しようとする課題】
【０００４】
しかしながら、上記文献に記載の技術では、管楽器の音の伸びや、広がりなどを良くする効果はなかった。
【０００５】
本発明の目的は、上述の課題を解決する技術を提供することにある。
【課題を解決するための手段】
【０００６】
上記課題を解決するため、本発明に係る管楽器は、管体とベルとを備えた管楽器であって、前記ベルの先端部分に平面プレート状の金属製のウエイトを取り付けたことを特徴とする。
上記課題を解決するため、本発明に係る他の管楽器は、管体とベルとを備えた管楽器であって、前記ベルの先端部分に爪形状の金属製のウエイトを取り付けたことを特徴とする。
上記課題を解決するため、本発明に係るさらに他の管楽器は、管体とベルとを備えた管楽器であって、前記ベルの先端部分にドーナツ板形状の金属製のウエイトを取り付けたことを特徴とする。
上記課題を解決するため、本発明に係る製品は、
上記管楽器のベルに取り付けられる金属製のウエイトである。
【発明の効果】
【０００７】
本発明によれば、管楽器の音の響きを良くすることができる。
【図面の簡単な説明】
【０００８】
【図１】本発明の第１実施形態に係るクラリネットの構成を示す図である。
【図２】本発明の第１実施形態に係るクラリネットのベルの構成を示す図である。
【図３】本発明の第１実施形態に係るクラリネットのベルの構成を示す断面図である。
【図４】本発明の第２実施形態に係るクラリネットのベルの構成を示す図である。
【図５】本発明の第３実施形態に係るクラリネットのベルの構成を示す断面図である。
【図６】本発明の第４実施形態に係るクラリネットのベルの構成を示す断面図である。
【図７】本発明の第５実施形態に係るクラリネットのベルの構成を示す正面図である。
【図８】本発明の第５実施形態に係るクラリネットのベルの構成を示す断面図である。
【図９】本発明の第６実施形態に係るクラリネットのベルの構成を示す図である。
【図１０】本発明の第６実施形態に係るクラリネットのベルの構成を示す断面図である。
【図１１】本発明の第７実施形態に係るサックスの構成を示す図である。
【図１２】本発明の第７実施形態に係るサックスの構成を示す図である。
【図１３】本発明の第７実施形態に係るサックスの構成を示す図である。
【図１４】本発明の第７実施形態に係るサックスの構成を示す図である。
【発明を実施するための形態】
【０００９】
以下に、図面を参照して、本発明の実施の形態について例示的に詳しく説明する。ただし、以下の実施の形態に記載されている構成要素はあくまで例示であり、本発明の技術範囲をそれらのみに限定する趣旨のものではない。なお、本明細書においてクラリネットとは、一般的なソプラノ・クラリネットの他、Ｅｂクラリネット、アルト・クラリネット、バセット・ホルン、バス・クラリネット、コントラバス・クラリネットといった、いわゆるクラリネット属を全て含む概念である。
【００１０】
［第１実施形態］
本発明の第１実施形態に係る木製管楽器の一例としてのクラリネット１００について、図１〜図４を用いて説明する。図１は、本実施形態に係るクラリネット１００の全体構成を説明するための図である。クラリネット１００は、大きく４つに分割されることができ、吹口の逆側からベル１０１、管体１０２、バレル１０３、マウスピース１０４を備えている。
【００１１】
マウスピース１０４には、リードがリガチャーによって固定されている。リードが震えることにより、発音する。バレル１０３は樽型の部材であり、音の高さ（ピッチ）の調整を行なうものである。例えばバレル１０３を数ｍｍ抜くことにより、音を下げることができる。
【００１２】
管体１０２は、複数の音孔とキーを備え、穴をふさいだり、キーを操作しつつ音を出すことで演奏を行なう。ベル１０１は、マウスピース１０４の反対側に位置する部品であり、円錐形である。
【００１３】
ベル１０１には音孔もキーもないが、その先端面内側に、金属製（例えば、真鍮、洋白、銀、白金、金など）のウェイトとしてのプレート１１１が取り付けられている。プレート１１１は、木製のベル本体１１２の先端面の形状に合わせた形状となっており、プレート１１１の厚みは、０．５〜３ｍｍである。ベル１０１の本体１１２に対するプレート１１１の取り付け方法としては、様々な方法が考えられる。例えば、ネジ止めや、接着剤による取り付けなどの他、木製のベル本体に設けられた溝に対するはめ込みによって取り付けてもよい。プレート１１１の重みにより、ベル全体の響きが変わり、音のボリュームが大きくなる。
【００１４】
図２は、プレート１１１を３本のねじ２０１でベル本体１１２に取り付ける様子を示す図である。プレート１１１およびベル本体１１２は、それぞれねじ穴２０２、２０３を備え、そのねじ穴２０２、２０３に対してねじ２０１が螺合される。
【００１５】
図３は、ベル１０１の部分断面図である。図のように、ベル本体１１２の先端面が湾曲している場合には湾曲したプレート１１１を取り付ける。ベル本体１１２の先端面が平面の場合には、プレート１１１も平面のものを取り付ける。
【００１６】
以上の構成によれば、ベル先端の内側にウェイトを取り付けたので、クラリネットの音の密度が大きくなり、ボリュームが大きくなる。また、遠くまで響くようになり音の広がりがよくなる。プレートを取り替えることにより、様々な美観のクラリネットを提供できる。特にベル先端は、演奏中に観客の目に触れる部分であるため、プレートのデザインによっては、クラリネットにオリジナル感を出すことができる。
【００１７】
［第２実施形態］
次に本発明の第２実施形態に係るクラリネットについて、図４を用いて説明する。図４は、本実施形態に係るクラリネットの先端部分４０１を説明するための図である。本実施形態に係るクラリネットのベル４０１は、上記第２実施形態と比べると、３つのプレート４１１〜４１３がベル本体１１２に取り付けられた点で異なる。その他の構成および動作は、第１実施形態と同様であるため、同じ構成および動作については同じ符号を付してその詳しい説明を省略する。ここでは３つに分割したプレートについて図示しているが、本発明はこれに限定されるものではなく、２つまたは４つ以上に分割したプレートを用いてもよい。
【００１８】
本実施形態によれば、クラリネットの美観を向上させることができると共に、ウェイトの量を容易に調整することができる。
【００１９】
［第３実施形態］
次に本発明の第３実施形態に係るクラリネットについて、図５を用いて説明する。図５は、本実施形態に係るクラリネットのベル５０１を説明するための部分断面図である。本実施形態に係るクラリネットのベル５０１は、上記第１実施形態と比べると、プレート５１１が大きく湾曲しており、湾曲したプレート５１１にベル本体１１２がはめ込まれている点で異なる。その他の構成および動作は、第１実施形態と同様であるため、同じ構成および動作については同じ符号を付してその詳しい説明を省略する。
【００２０】
本実施形態によれば、クラリネットの美観を向上させることができると共に、ウェイトの量を容易に調整することができる。また、ねじ止めではないため、ベル本体１１２にねじ穴をあける必要がない。第２実施形態のように、プレート５１１を、２つ以上に分割してもよい。
【００２１】
［第４実施形態］
次に本発明の第４実施形態に係るクラリネットについて、図６を用いて説明する。図６は、本実施形態に係るクラリネットのベル６０１の先端部分の断面図である。本実施形態に係るクラリネットのベル６０１は、上記第１実施形態と比べると、より内側のみにウェイトプレート６１１を取り付けられた点で異なる。その他の構成および動作は、第１実施形態と同様であるため、同じ構成および動作については同じ符号を付してその詳しい説明を省略する。
【００２２】
本実施形態によれば、クラリネットの美観を向上させることができると共に、ウェイトの量を容易に調整することができる。また、このような円錐筒状のウェイトを用いれば、ベル本体１１２の先端内壁に、強くはめ込むだけで容易に取り付けることが可能となる。
【００２３】
［第５実施形態］
次に本発明の第５実施形態に係るクラリネットについて、図７および図８を用いて説明する。図７は、本実施形態に係るクラリネットのベル７０１を先端側からみた正面図である。図８は、クラリネットのベル７０１の先端部分の横断面図である。本実施形態に係るクラリネットのベル７０１は、上記第１実施形態と比べると、動物の爪のような形状をしたウェイト７１１が３つ取り付けられている点で異なる。その他の構成および動作は、第１実施形態と同様であるため、同じ構成および動作については同じ符号を付してその詳しい説明を省略する。ウェイト７１１は、ベル本体８１２に設けられた溝８１３にはめ込むことで固定される。
【００２４】
本実施形態によれば、クラリネットの美観をより一層向上させることができると共に、ウェイトの量を容易に調整することができる。
【００２５】
［第６実施形態］
次に本発明の第６実施形態に係るクラリネットについて、図９および図１０を用いて説明する。図９は、本実施形態に係るクラリネットのベル９０１を先端側からみた正面図である。図１０は、クラリネットのベル９０１の先端部分の横断面図である。本実施形態に係るクラリネットのベル９０１は、上記第２実施形態と比べると、ウェイト９１１、９１２、９１３の表面にが複数の宝石９２１が取り付けられている点で異なる。その他の構成および動作は、第２実施形態と同様であるため、同じ構成および動作については同じ符号を付してその詳しい説明を省略する。
【００２６】
本実施形態によれば、クラリネットの美観をより一層向上させることができると共に、ウェイトの量を容易に調整することができる。
【００２７】
［第７実施形態］
次に本発明の第７実施形態に係るサクソフォンについて、図１１乃至図１４を用いて説明する。図１１〜図１４は、本実施形態に係るサクソフォン１１００、１２００、１３００、１４００の使用状態を示す正面図である。
図１１において、サクソフォン１１００のベル１１０１の先端部分には、ドーナツ板形状のウェイト１１１１が取り付けられている。図１２において、サクソフォン１２００のベル１２０１の先端部分には、爪形状のウェイト１２１１が取り付けられている。ベル１２０１の先端部分に対して、ウェイト１２１１を直接半田付けすることによって取り付けを行なってもよい。
図１３において、サクソフォン１３００のベル１３０１の先端部分には、彫金の装飾が施されたドーナツ板形状のウェイト１３１１が取り付けられている。図１４において、サクソフォン１４００のベル１４０１の先端部分には、宝石が接着されたウェイト１４１１が取り付けられている。
【００２８】
以上の構成によれば、音の密度が大きくなり、ボリュームが大きくなる。また、遠くまで響くようになり音の広がりがよくなる。プレートを取り替えることにより、様々な美観のサクソフォンを提供できる。特にベル先端は、演奏中に観客の目に触れる部分であるため、プレートのデザインによっては、サクソフォンにオリジナル感を出すことができる。
【００２９】
［他の実施形態］
以上、実施形態を参照して本願発明を説明したが、本願発明は上記実施形態に限定されるものではない。本願発明の構成や詳細には、本願発明のスコープ内で当業者が理解し得る様々な変更をすることができる。また、それぞれの実施形態に含まれる別々の特徴を如何様に組み合わせたシステムまたは装置も、本発明の範疇に含まれる。
【図１】
0006660758.tif 000002
【図２】
0006660758.tif 000003
【図３】
0006660758.tif 000004
【図４】
0006660758.tif 000005
【図５】
0006660758.tif 000006
【図６】
0006660758.tif 000007
【図７】
0006660758.tif 000008
【図８】
0006660758.tif 000009
【図９】
0006660758.tif 000010
【図１０】
0006660758.tif 000011
【図１１】
0006660758.tif 000012
【図１２】
0006660758.tif 000013
【図１３】
0006660758.tif 000014
【図１４】
0006660758.tif 000015